(57)【要約】【課題】油受けの取り付けを容易にすることができるレンジフードを提供すること。【解決手段】ガード組７に、ガード組７のねじ孔５に螺合するねじ部８が挿入可能な切り欠き９を設けた案内部１０を設け、油受け１１に設けたねじ部８を案内部１０の切り欠き９の奥側に移動したときに、ねじ部８がガード組７に設けたねじ孔５に対向することにより、油受け１１のねじ部８の位置決めができ、ねじ部８の中間部分が切り欠き９により保持され、ねじ孔５に対するねじ部８の螺合が簡単となり油受け１１を容易に取り付けることができる。【選択図】  図１
2004324994.tif 000002
【特許請求の範囲】
【請求項１】
下面に吸込口を形成し、内部にファンモータを設けた本体と、この本体の吸込口周辺部に一端を支持した複数のガード線を略逆円錐状に配設し、前記ガード線の他端を中央にねじ孔を有した椀状の支持部で支持したガード組と、このガード組に略凹状で中央部分に前記ねじ孔に螺合するねじ部が挿入可能な切り欠きを設け、前記支持部に設けられる案内部と、この案内部の切り欠きに挿入され、前記ねじ孔に螺合されるねじ部を有した椀状の油受けと、この油受けに油滴が排出されるように前記支持部および案内部に設けられる油滴排出口とを備え、前記油受けに設けたねじ部を前記案内部の切り欠きの奥部に移動したときに、ねじ部が前記ガード組に設けたねじ孔に対向するように構成したレンジフード。
【請求項２】
案内部の切り欠きの周縁部分に載置されるワッシャーをねじ部に設けた請求項１記載のレンジフード。
【請求項３】
油受けを内部が透視できる材質で形成した請求項１記載のレンジフード。
【請求項４】
油受けを逆円錐状に形成した請求項１記載のレンジフード。
【請求項５】
油受けの外周に滑り止めとなるリブを設けた請求項１記載のレンジフード。
【発明の詳細な説明】
【０００１】
【発明の属する技術分野】
本発明は、レンジから発生する油煙を屋外に排出するときに捕集された油滴を溜める油受けの着脱を容易にしたレンジフードに関する。
【０００２】
【従来の技術】
従来、この種のレンジフードは、油受けを着脱自在に設け、油受けに油滴が溜まると、油受けを取り外し溜まった油滴を排出するものが知られている（例えば特許文献１参照）。以下、そのレンジフードについて図９および図１０を参照しながら説明する。
【０００３】
図９および図１０に示すように、下面に吸込口１０１を形成した本体１０２内にファンモータ１０３を設け、本体１０２の吸込口１０１の周辺部に一端が設けられる複数のガード線１０５を略逆円錐状に配設し、ガード線１０５の他端を中央にねじ孔１０６を有した椀状の支持部１０７で支持し、吸込口１０１に不意の手の進入を防止するように設けたガード組１０８にねじ孔１０６に螺合するねじ部１０９を有した椀状の油受け１１０を着脱自在に設け、支持部１０７には油滴１１１を油受け１１０に排出する油滴排出口１１２を設けていた。
【０００４】
【特許文献１】
実願昭５３−１５１３２号（実開昭５４−１２０８４８号）のマイクロフィルム
【０００５】
【発明が解決しようとする課題】
しかしながら、従来の構成では、ガード組１０８に付着した油滴１１１は、重力により下降し、支持部１０７に溜まる油滴１１１は油滴排出口１１２より油受け１１０上に排出され、油受け１１０に油滴１１１が溜まると油受け１１０に設けたねじ部１０９を回動して支持部１０７のねじ孔１０６より取り外し、油受け１１０に溜まった油滴１１１を排出していた。
【０００６】
また、油受け１１０の取付時には、レンジの上方の高所に設けられるレンジフードの本体１０４に油受け１１０を取り付けるときには、油受け１１０に設けたねじ部１０９をガード組１０８の支持部１０７に設けたねじ孔１０６に直接螺合することは、不安定な状態で取り付けることとなり、取り付けが困難であるという課題があった。
【０００７】
また、油受け１１０の取り外し時に油受け１１０に設けたねじ部１０９がガード組１０８の支持部１０７に設けたねじ孔１０６より離脱したとき油受け１１０が落下するという課題があった。
【０００８】
本発明は、上記従来の課題を解決するもので、油受けの取り付けを容易にすることができ、また、油受けの取り外し時に油受けの落下するのを防止することのできるレンジフードを提供することを目的とする。
【０００９】
【課題を解決するための手段】
上記従来の課題を解決するために、本発明のレンジフードは、下面に吸込口を形成し、内部にファンモータを設けた本体と、この本体の吸込口周辺部に一端を支持した複数のガード線を略逆円錐状に配設し、前記ガード線の他端を中央にねじ孔を有した椀状の支持部で支持したガード組と、このガード組に略凹状で中央部分に前記ねじ孔に螺合するねじ部が挿入可能な切り欠きを設け、前記支持部に設けられる案内部と、この案内部の切り欠きに挿入され、前記ねじ孔に螺合されるねじ部を有した椀状の油受けと、この油受けに油滴が排出されるように前記支持部および案内部に設けられる油滴排出口とを備え、前記油受けに設けたねじ部を前記案内部の切り欠きの奥部に移動したときに、ねじ部が前記ガード組に設けたねじ孔に対向するように構成したものである。
【００１０】
また、案内部の切り欠きの周縁部分に載置されるワッシャーをねじ部に設けたものである。
【００１１】
また、油受けを内部が透視できる材質で形成したものである。
【００１２】
また、油受けを逆円錐状に形成したものである。
【００１３】
また、油受けの外周に滑り止めとなるリブを設けたものである。
【００１４】
【発明の実施の形態】
請求項１に記載の発明は、本体の吸込口周辺部に支持された略逆円錐状で、ねじ孔を有した支持部を設けているガード組に、略凹状で中央部分にねじ孔に螺合するねじ部が挿入される切り欠きを設けた案内部を設け、油受けに設けたねじ部を案内部の切り欠きの奥部に移動したときに、ねじ部がガード組に設けたねじ孔に対向するようにしたことにより、ねじ部が切り欠きにより位置決めされると共に保持された状態で油受けを回動し、ねじ部がねじ孔に螺合することとなり、油受けは安定した状態で取り付けが可能となり、高所における取付作業を容易にすることができる。
【００１５】
請求項２に記載の発明は、案内部の切り欠きの周縁部分に載置されるワッシャーをねじ部に設けることにより油受けを回動し、ねじ部をガード組のねじ孔より抜き去ったとき、ねじ部に設けたワッシャーが切り欠きの周縁部分に載置し受け止められ油受けが保持されることとなり、油受けの取り外し時に油受けの落下するのを防止することができる。
【００１６】
請求項３に記載の発明は、油受けを内部が透視できる材質で形成することにより、油受けに溜まる油滴の量を容易に確認することができることとなり、油受けに溜まった油滴があふれレンジ上等に落下するのを未然に防止することができる。
【００１７】
請求項４に記載の発明は、油受けを逆円錐状に形成したことにより、本体の吸込口に吸い込まれる汚染された空気の流れの抵抗を極めて少なくすることとなり、吸引効果を高めることができる。
【００１８】
請求項５に記載の発明は、油受けの外周に滑り止めとなるリブを設けることにより、油受けの外周に吸込口に吸い込まれる油煙が付着して滑り易い状態になっても、油受けの外周に設けたリブが滑り止めとなり、油受けを容易に回動操作することができる。
【００１９】
以下、本発明の実施の形態について図面を参照しながら説明する。
【００２０】
（実施の形態１）
図１〜図３に示すように、下面に吸込口１を形成し、内部にファンモータ２を設けた本体３の吸込口１の周辺部分に一端を支持した複数のガード線４を略逆円錐状に配設し、ガード線４の他端を中央にねじ孔５を有した椀状の支持部６で支持したガード組７を形成し、ガード組７の支持部６に略凹状で中央部分にねじ孔５に螺合するねじ部８が挿入可能な切り欠き９を設けた案内部１０を設け、案内部１０の切り欠き９に挿入され、支持部６に設けたねじ孔５に螺合するねじ部８を有した油受け１１を設け支持部６および案内部１０には油滴を油受け１１側に排出する油滴排出口１２Ａと１２Ｂを設け、油受け１１に設けたねじ部８を案内部１０の切り欠き９の奥部１３に移動したときに、ねじ部８がガード組７の支持部６に設けたねじ孔５に対向するように構成する。
【００２１】
上記構成において、油受け１１を取り付けるときには、油受け１１に設けたねじ部８を案内部１０に設けた切り欠き９に挿入し、切り欠き９の奥部１３に移動し、奥部１３に移動されたねじ部８はガード組７の支持部６に設けたねじ孔５に対向するように位置決めされ、ねじ部８は略中間部分が切り欠き９で保持された状態となり、油受け１１を回動することにより、油受け１１に設けたねじ部８がねじ孔５に螺合して油受け１１が取り付けられる。
【００２２】
そして、レンジ上方に配設したレンジフードを運転すると、レンジから発生した油煙は、本体３の吸込口１に吸い込まれて屋外に排出される。
【００２３】
このとき、吸込口１に吸い込まれる油煙の一部がガード組７のガード線４に付着し、油滴１４となり重力により下降して椀状の支持部６に導かれ支持部６に設けた油滴排出口１２Ａより排出され、下方の案内部１０に落下し、案内部１０に設けた油滴排出口１２Ｂよりさらに、油受け１１上に落下し、油滴１４が油受け１１に溜まる。
【００２４】
油受け１１に溜まった油滴１４を排出するときには、油受け１１を逆方向に回動することにより、ガード組７の支持部６に設けたねじ孔５に螺合していたねじ部８がゆるみ油受け１１が取り外され油受け１１に溜まった油滴１４を排出する。
【００２５】
このように本発明の実施の形態１のレンジフードによれば、本体３の吸込口１の周辺部分に支持された略逆円錐状でねじ孔５を有した支持部６を設けているガード組７に、略凹状で中央部分にねじ孔５に螺合するねじ部８が挿入される切り欠き９を設けた案内部１０を設け、油受け１１に設けたねじ部８を案内部１０の切り欠き９の奥部１３に移動したときに、ねじ部８がガード組７に設けたねじ孔５に対向するように設けたことにより、ねじ部８が切り欠き９により位置決めされると共に保持された状態で油受け１１を回動し、ねじ部８がねじ孔５に螺合することとなり、油受け１１を安定した状態で取り付けが可能となり、高所における取付作業を容易にすることができる。
【００２６】
なお、実施の形態１において、案内部１０を凹状としたが、案内部１０に設けた切り欠き９がガード組７より遠ざかり、油受け１１に設けたねじ部８の略中間位置に対応するように形成されるものであれば良く、案内部１０の形状は凹状に限定されるものではなく同様の作用効果をもたらすこととはいうまでもない。
【００２７】
（実施の形態２）
図４および図５に示すように、案内部１０Ａの切り欠き９Ａの周縁部分に載置されるワッシャー１５をねじ部８Ａに設け、内部を透視できる材質で油受け１１Ａを形成した構成とする。
【００２８】
上記構成において、油受け１１Ａに、油滴１４が所定量溜まったことが内部を透視してわかり、油滴１４を排出するときには、油受け１１Ａを回動し、ガード組７の支持部６に設けたねじ孔５に螺合しているねじ部８Ａをゆるめ、ねじ部８Ａがねじ孔５より離脱したときには、ねじ部８Ａに設けたワッシャー１５が切り欠き９Ａの周縁部分に載置され、油受け１１Ａの落下するのが一旦保持され、その後切り欠き９Ａを介して油受け１１Ａを取り外し、油受け１１Ａに溜まった油滴１４を排出する。
【００２９】
このように本発明の実施の形態２のレンジフードによれば、案内部１０Ａの切り欠き９Ａの周縁部分に載置されるワッシャー１５をねじ部８Ａに設けることにより、油受け１１Ａを回動し、ねじ部８Ａをガード組７のねじ孔８Ａより抜き去ったとき、ねじ部８Ａに設けたワッシャー１５が切り欠き９Ａの周縁部分に載置し受け止められて油受け１１Ａが保持されることとなり、油受け１１Ａの取り外し時に油受け１１Ａの落下するのを防止することができる。
【００３０】
また、油受け１１Ａを内部が透視できる材料で形成することにより、油受けに溜まる油滴１４の量を容易に確認することができることとなり、油受け１１Ａに溜まった油滴があふれレンジ上等に落下するのを未然に防止することができる。
【００３１】
（実施の形態３）
図６および図７に示すように、油受け１１Ｂを逆円錐状に形成した構成とする。
【００３２】
上記構成において、レンジから発生した油煙が本体３に設けた吸込口１に吸い込まれるときに流れる空気の流れに対し、空気が流れやすい逆円錐状に油受け１１Ｂが形成されていることにより、油煙を含む空気がスムーズに流れて吸込口１に吸い込まれることとなる。
【００３３】
このように本発明の実施の形態３のレンジフードによれば、油受け１１Ｂを逆円錐状に形成したことにより、本体３の吸込口１に吸い込まれる汚染された空気の流れの抵抗を極めて少なくすることにより、吸引効果を高めることができる。
【００３４】
（実施の形態４）
図８に示すように、油受け１１Ｃの外周に滑り止めとなるリブ１６を設け構成する。
【００３５】
上記構成において、油受け１１Ｃが油煙により汚れ回動時に滑り易くなっていても、油受け１１Ｃを回動するときには、リブ１６が滑り止めの役目を果たし油受け１１Ｃを回動することができる。
【００３６】
このように本発明の実施の形態４のレンジフードによれば油受け１１Ｃの外周に滑り止めとなるリブ１６を設けたことにより、油受け１１Ｃの外周に油煙が付着して滑り易く、油受け１１Ｃが回動しにくい状態になっていても油受け１１Ｃを容易に回動操作することができる。
【００３７】
【発明の効果】
以上のように本発明によれば、下面に吸込口を形成し、内部にファンモータを設けた本体と、この本体の吸込口周辺部に一端を支持した複数のガード線を略逆円錐状に配設し、前記ガード線の他端を中央にねじ孔を有した椀状の支持部で支持したガード組と、このガード組に略凹状で中央部分に前記ねじ孔に螺合するねじ部が挿入可能な切り欠きを設け、前記支持部に設けられる案内部と、この案内部の切り欠きに挿入され、前記ねじ孔に螺合されるねじ部を有した椀状の油受けと、この油受けに油滴が排出されるように前記支持部および案内部に設けられる油滴排出口とを備え、前記油受けに設けたねじ部を前記案内部の切り欠きの奥部に移動したときに、ねじ部が前記ガード組に設けたねじ孔に対向するように構成したことにより、油受けを安定した状態で取り付けが可能となり、高所における取付作業を容易にすることができるレンジフードを提供することができる。
【００３８】
また、案内部の切り欠きの周縁部分に載置されるワッシャーをねじ部に設けた構成とすることにより、油受けの取り外し時に油受けの落下するのを防止することができる。
【００３９】
また、油受けを内部が透視できる材質で形成したことにより、油受け溜まった油滴の量を容易に確認することができる。
【００４０】
また、油受けを逆円錐状に形成したことにより、空気の流れの抵抗を極めて少なくすることができ、吸引効果を高めることができる。
【００４１】
また、油受けの外周に滑り止めとなるリブを設けたことにより、油受けを容易に回動操作することができる。
【図面の簡単な説明】
【図１】本発明の実施の形態１のレンジフードの油受けを設けた構成を示す断面図
【図２】同レンジフードの案内部と油受けの関係を示す斜視図
【図３】同レンジフードの斜視図
【図４】本発明の実施の形態２のレンジフードの油受けを設けた構成を示す断面図
【図５】同レンジフードの油受けの斜視図
【図６】本発明の実施の形態３のレンジフードの油受けを設けた構成を示す断面図
【図７】同レンジフードの油受けの斜視図
【図８】本発明の実施の形態４の油受けの斜視図
【図９】従来のレンジフードの油受けを設けた構成を示す断面図
【図１０】同レンジフードの油受けの断面図
【符号の説明】
１    吸込口
２      ファンモータ
３    本体
４    ガード線
５    ねじ孔
６    支持部
７    ガード組
８    ねじ部
８Ａ    ねじ部
９    切り欠き
９Ａ    切り欠き
１０    案内部
１０Ａ    案内部
１１    油受け
１１Ｂ    油受け
１１Ｃ    油受け
１２Ａ    油滴排出口
１２Ｂ    油滴排出口
１３    奥部
１４    油滴
１５    ワッシャー
１６    リブ
【図１】
2004324994.tif 000003
【図２】
2004324994.tif 000004
【図３】
2004324994.tif 000005
【図４】
2004324994.tif 000006
【図５】
2004324994.tif 000007
【図６】
2004324994.tif 000008
【図７】
2004324994.tif 000009
【図８】
2004324994.tif 000010
【図９】
2004324994.tif 000011
【図１０】
2004324994.tif 000012